(57)【要約】      （修正有）【課題】煩雑なサンプリング作業を省略し、容易に目視により標準液と被測定液を比色することにより精度よく着色度の測定を可能とする比色測定装置を提供する。【解決手段】標準液用比色管２と被測定液用比色管１を有し、被測定液用比色管１が上下に設けられた開口部を通じて配管４と繋がり、被測定液５が配管４を通じて被測定液用比色管内１に充満する構造とする。更には、複数の標準液と比色をする必要がある場合、標準液用比色管を回転可能な保持具に保持させることにより、容易に、正確に、被測定液の着色度を確認することが可能となる。【選択図】図１
0003190292.tif 000002
【実用新案登録請求の範囲】
【請求項１】
標準液用比色管と被測定液用比色管を有し、被測定液用比色管が上下に設けられた開口部を通じて配管と繋がっており、被測定液が配管を通じて被測定液用比色管内に充満する構造を有することを特徴とする比色測定装置。
【請求項２】
複数の標準液用比色管を有し、かつ、前記標準液用比色管が回転可能な保持具により保持されていることを特徴とする請求項１記載の比色測定装置。
【考案の詳細な説明】
【技術分野】
【０００１】
本考案は、高価で複雑な装置を用いず、標準液と排水等の試料液の色を容易に対比できるようにすることにより、精度よく着色度を判断することを可能とする比色測定装置に関する。
【背景技術】
【０００２】
工場や作業場等において、排水を下水道等に排出する際、排水が着色していないかどうかを適宜確認する必要がある。この際、着色しているかどうかの判断の方法として、定められた基準の着色度を有する標準液と、排水サンプルの色を目で対比する方法がある。
【０００３】
しかしながら、この方法を行う場合、排水サンプルを所定の比色管に汲み、それを同サイズの比色管に入れた標準液と対比する必要があり、測定の度に排水サンプルを比色管へ入れる作業が煩雑であったり、排水サンプルに有害物が混じっていたり、酸性やアルカリ性を呈していたりする場合もあり、取り扱い上の危険性があり得る。又、標準液の色と目視で対比する場合、どの色と近いのか照合する為に、常に複数の標準液を用意し、その標準液の横にサンプルを並べて対比する必要があり、作業が非常に煩雑である。
【０００４】
このような状況を鑑み、排水を含む水の色相等を自動的かつ連続的に監視する装置が提案されている。（例えば特許文献１）しかしながらこの方法によれば、複雑かつ高価な機械を使用する必要がある点、また、工場の排水のように色相が一定でないサンプルを測定する場合、無数の色の組み合わせからなる基準を設定する必要があり、結果として色相によっては機械で自動的に判断できず、人の目により判断せざるを得ないケースが多々ある。
【０００５】
【特許文献１】特開平８−２５４５２８号公報
【考案の開示】
【考案が解決しようとする課題】
【０００６】
本考案は、これらの問題を解決する為、煩雑なサンプリング作業を省略し、容易に目視により標準液と被測定液を比色することにより、精度よく着色度の測定を可能とする比色測定装置を提供する。
【課題を解決するための手段】
【０００７】
本考案者らは、標準液用比色管と被測定液用比色管を用意し、さらに被測定液用比色管の上下に開口部を設け、その開口部から配管を通じて被測定液を流通させ被測定液用比色管内に被測定液を充満する構造とすることで前記課題が解決可能であることを見出した。
【考案の効果】
【０００８】
本考案の比色測定装置によれば、煩雑なサンプリング作業を省略し容易に目視により標準液と被測定液とを比色することにより精度よく着色度の測定を可能とする比色測定装置が提供可能となる。
【考案を実施するための最良の形態】
【０００９】
本考案で使用する被測定液用比色管は被測定液が上下に流通できるよう、配管を接続した形状とする。この際、測定時、被測定液用比色管内に被測定液が貯まるような構造とする。このような構造の例として、被測定液を流速を抑えながら下から上へと流通させることにより被測定液を貯液させる方法、被測定液用比色管の下側にコックを設け、測定時はコックを閉とし、被測定液を上から下に流通させ被測定液を貯液させる方法が例示される。また、被測定液用比色管に用いる比色管はどのような形状や大きさであっても良いが、後述する標準液比色管に投入された標準液と適切に色の比較ができるよう、測定液の視認方向の厚さが標準液と等しくなるような形状や大きさとする必要がある。比色管の材質としてはガラスや透明性のあるプラスチック類、例えばアクリル樹脂やポリカーボネート製樹脂等が例示される。
【００１０】
本考案で使用する標準液用比色管は比色管内に標準液が投入できるような形状や大きさであればどのようなものでも良い。例えば一般的に市販されている試験管を利用することができる。比色管の材質としては、被測定液用比色管と同様、ガラスや透明性のあるプラスチック類、例えばアクリル樹脂やポリカーボネート製樹脂等が例示される。標準液用比色管に投入する標準液としては、基準となる色調を有する標準液を任意に投入することができ、このようなものの例として、特定のハーゼン色数やガードナー色数を有する標準液が例示される。
【００１１】
標準液比色管と被測定液用比色管は色が適切に比較できるよう、並列に設置する。基準となる標準液が複数ある場合、標準液比色管を複数、被測定液用比色管と並列に設置することができるが、複数の標準液比色管を回転可能な保持装置に設置し、比色したい標準液比色管と被測定液用比色管とが最接近する場所で並列となるような構造とにすればより正確な比色を行うことができ、好ましい。
【００１２】
以上詳述したように本考案の比色測定装置を用いる事によって、高価で複雑な装置を用いることなく、煩雑かつ危険性を伴うなサンプリング作業を省略し、目視により容易に標準液と被測定液とを比色することにより精度よく着色度の測定が可能となる。
【図面の簡単な説明】
【００１３】
【図１】本考案の比色測定装置の具体的一実施例の正面図である。
【図２】本考案の比色測定装置の具体的一実施例の内、標準液比色管を回転台に設置したものの正面図である。
【実施例】
【００１４】
以下添付図に従って、一実施例を説明する。本考案の比色測定装置は、例えば図１に示す通り、右端に被測定液比色管１を設置し、被測定液比色管１の上下には配管４を設置した。また、基準値の異なる標準液３を投入した複数の標準液比色管２を被測定液比色管１に並列となるように設置した。測定時は配管４から被測定液５を下から上へと流通させ、適宜、被測定液５と標準液比色管２に投入された標準液３とを比色することにより、被測定液の着色度を確認することが可能となる。
【００１５】
また、例えば図２に示す通り、基準値の異なる標準液３を投入した複数の標準液比色管２を回転台６に保持させることにより、回転台を適宜回転させ、被測定液の色調から近いと思われる標準液３が投入された標準液比色管２が比測定液比色管１と最も近い位置となるようにすることで、更に容易に、正確に、被測定液の着色度を確認することが可能となる。
【符号の説明】
【００１６】
１                    ：被測定液比色管
２                    ：標準液比色管
３                    ：標準液
４                    ：配管
５                    ：被測定液
６                    ：回転台
【図１】
0003190292.tif 000003
【図２】
0003190292.tif 000004